(57)【特許請求の範囲】
【請求項１】
クリンチャーアームと、後端が該クリンチャーアームに枢設されるドライバと、該ドライバの上側に位置すると共に、後端が該クリンチャーアームに枢設されるハンドルと、該ドライバの下側に位置するように、該クリンチャーアームの上面に取り付けられるクリンチャー部材とを有し、その内、該クリンチャー部材は、曲げ台及び活動板を備え、
前記クリンチャーアームの前側底面に、両側面から離間するように複数の位置決め柱が凸設され、それら位置決め柱の間に収容空間が形成され、
前記曲げ台の両側下部に、クリンチャーアームの収容空間に位置するガイド柱が延設されると共に、中央上部に曲げ部が凸設され、
前記活動板は、後端がクリンチャーアームに枢設されると共に、その前側上面に、曲げ台の曲げ部を受け入れて活動板の上面から露出させるための収容孔が形成され、更に、相対する両側壁にそれぞれ、曲げ台に向かって伸び、ガイド柱と接近するように位置決めアームが凸設されることを特徴とする曲げ台の位置決め構造を備えるステープラー。
【請求項２】
前記活動板の各位置決めアームに、前記ガイド柱方向に向かってリブが凸設されることを特徴とする請求項１に記載の曲げ台の位置決め構造を備えるステープラー。
【請求項３】
前記複数の位置決め柱は、クリンチャーアームの前側上面における両側面近傍にそれぞれ1対ずつ形成されるものであり、それら両側における各位置決め柱はそれぞれ、間隔をおいて前後方向に２本の柱体が配列され、それら柱体の間に前記収容空間が形成され、前記曲げ台のガイド柱を両側の位置決め柱の中央の隙間に嵌め込めることを特徴とする請求項１または２に記載の曲げ台の位置決め構造を備えるステープラー。
【請求項４】
前記クリンチャーアームは、断面Ｕ字形を呈するクリンチャーカバーと、該クリンチャーカバーに取り付けられると共に、断面Ｕ字形を呈するクリンチャーフレームを備え、
前記クリンチャーフレームに前記活動板の後端が枢設されることを特徴とする請求項３に記載の曲げ台の位置決め構造を備えるステープラー。
【請求項５】
前記クリンチャーカバーにおける側面及び底面は、クリンチャーアームの側面及び底面に一体に形成されることを特徴とする請求項４に記載の曲げ台の位置決め構造を備えるステープラー。
【請求項６】
前記曲げ台の曲げ部と活動板の収容孔の内壁との間に、０．２ミリメートルと同じか、０ミリメートルより大きく０．２ミリメートルより小さい第一隙間ｔ１が形成されることを特徴とする請求項５に記載の曲げ台の位置決め構造を備えるステープラー。
【請求項７】
前記曲げ台のガイド柱と活動板の位置決めアームとの間に、１．７ミリメートルと同じか、０ミリメートルより大きく１．７ミリメートルより小さい第二隙間ｔ２が形成されることを特徴とする請求項６に記載の曲げ台の位置決め構造を備えるステープラー。
【請求項８】
前記第二隙間ｔ２は、０．５ミリメートルと同じか、０ミリメートルより大きく０．５ミリメートルより小さいことを特徴とする請求項７に記載の曲げ台の位置決め構造を備えるステープラー。
【請求項９】
前記クリンチャーアームは、断面Ｕ字形を呈するクリンチャーカバーと、該クリンチャーカバーに取り付けられると共に、断面Ｕ字形を呈するクリンチャーフレームを備え、
前記クリンチャーフレームに前記活動板の後端が枢設されることを特徴とする請求項１に記載の曲げ台の位置決め構造を備えるステープラー。
【請求項１０】
前記クリンチャーカバーにおける側面及び底面は、クリンチャーアームの側面及び底面に一体に形成されることを特徴とする請求項９に記載の曲げ台の位置決め構造を備えるステープラー。
【請求項１１】
前記曲げ台の曲げ部と活動板の収容孔の内壁との間に、０．２ミリメートルと同じか、０ミリメートルより大きく０．２ミリメートルより小さい第一隙間ｔ１が形成されることを特徴とする請求項１に記載の曲げ台の位置決め構造を備えるステープラー。
【請求項１２】
前記曲げ台のガイド柱と活動板の位置決めアームとの間に、１．７ミリメートルと同じか、０ミリメートルより大きく１．７ミリメートルより小さい第二隙間ｔ２が形成されることを特徴とする請求項１に記載の曲げ台の位置決め構造を備えるステープラー。
【請求項１３】
前記第二隙間ｔ２は、０．５ミリメートルと同じか、０ミリメートルより大きく０．５ミリメートルより小さいことを特徴とする請求項１２に記載の曲げ台の位置決め構造を備えるステープラー。
【発明の詳細な説明】
【技術分野】
【０００１】
本発明は、特に曲げ台の移動方向を制限するための位置決め構造を設けて、優れたフラットクリンチを提供するステープラーに関するものである。
【背景技術】
【０００２】
ステープラーの効果をより向上させるために、従来のステープラーでは、針により人がケガしたり、書類が破損したりすることを防ぐために、フラットクリンチの方式を採用しており、それに用いる針平坦化装置における固定式の曲げ台は、ステープラーの底座に固定されている。しかしながら、この構成では、クリンチプロセスを行なう時、針と曲げ台との間に隙間が生じることから、クリンチした瞬間に針の位置がずれ易くなるので、クリンチ精度が低下する虞があった。
【０００３】
その後、上述したような固定式の曲げ台により発生する問題を解決するために、スライド可能な曲げ台を備えた別のタイプの針平坦化装置が採用された。しかしながら、従来のステープラーの構造では、スライド可能な曲げ台を安定的に移動させることができず、クリンチ時に、針が傾斜し易く、針平坦化効果が低いという問題があった。
【０００４】
図９に示すように、従来のクリンチャーアーム６０は、クリンチャーフレーム６１及びスライド可能な凸字形の曲げ台６２を有し、該クリンチャーフレーム６１の相対する内側面にそれぞれガイド溝６１１が形成され、ガイド溝６１１に下部両側が移動可能な状態で該曲げ台６２が嵌め込まれ、該クリンチャーフレーム６１と曲げ台６２との間に弾性部材６１２が取り付けられ、該弾性部材６１２の付勢力により曲げ台６２をガイド溝６１１に沿って安定的に上下方向に移動させることができるので、フラットクリンチを提供することができる。
【発明の概要】
【発明が解決しようとする課題】
【０００５】
従来のステープラーのクリンチャーアーム６０によれば、フラットクリンチを提供することはできるが、曲げ台６２の非機能部分（凸字形の上部両側）がガイド溝６１１から離間して設けられることから、曲げ台６２の移動が不安定という問題があった。例えば、受け曲げ台６２の非機能部分とガイド溝６１１との間に異物が入ると、該曲げ台６２を妨害してガイド溝６１１においてスムーズに移動することができない。また、前記曲げ台６２は、ガイド溝６１１に保持されるため、ある程度の幅を有しなければならず、更に、クリンチャーアーム６０のクリンチャーフレーム６１は、曲げ台６２の幅に合わせるために、適当な広さに設けられなければならないことから、ステープラーにおける曲げ台や他の部材などの寸法がそれにより制限されるので、ステープラーの設計範囲も制限されるという問題があった。
【０００６】
本発明においては、上記問題を解消するためのステープラーを提供する。
【課題を解決するための手段】
【０００７】
本発明に係る曲げ台の位置決め構造を備えるステープラーは、クリンチャーアームと、後端が該クリンチャーアームに枢設されるドライバと、該ドライバの上側に位置すると共に、後端が該クリンチャーアームに枢設されるハンドルと、該ドライバの下側に位置するように、該クリンチャーアームの上面に取り付けられるクリンチャー部材とを有し、その内、該クリンチャー部材は、曲げ台及び活動板を備え、
前記クリンチャーアームの前側底面に、両側面から離間するように複数の位置決め柱が凸設され、それら位置決め柱の間に収容空間が形成され、
前記曲げ台の両側下部に、クリンチャーアームの収容空間に位置するガイド柱が延設されると共に、中央上部に曲げ部が凸設され、
前記活動板は、後端がクリンチャーアームに枢設されると共に、その前側上面に、曲げ台の曲げ部を受け入れて活動板の上面から露出させるための収容孔が形成され、更に、相対する両側壁にそれぞれ、曲げ台に向かって伸び、ガイド柱と接近するように位置決めアームが凸設されるものである。
【０００８】
前記活動板の各位置決めアームに、前記ガイド柱方向に向かってリブが凸設されることが好ましい。
【０００９】
前記複数の位置決め柱は、クリンチャーアームの前側上面における両側面近傍にそれぞれ1対ずつ形成されるものであり、それら両側における各位置決め柱はそれぞれ、間隔をおいて前後方向に２本の柱体が配列され、それら柱体の間に前記収容空間が形成され、前記曲げ台のガイド柱を両側の位置決め柱の中央の隙間に嵌め込めることが好ましい。
【００１０】
前記クリンチャーアームは、断面Ｕ字形を呈するクリンチャーカバーと、該クリンチャーカバーに取り付けられると共に、断面Ｕ字形を呈するクリンチャーフレームを備えると共に、前記クリンチャーフレームに前記活動板の後端が枢設されることが好ましい。
【００１１】
前記クリンチャーカバーにおける側面及び底面は、クリンチャーアームの側面及び底面に一体に形成されてもよい。
【００１２】
前記曲げ台の曲げ部と活動板の収容孔の内壁との間に、０．２ミリメートルと同じか、０ミリメートルより大きく０．２ミリメートルより小さい第一隙間ｔ１が形成されることが好ましい。
【００１３】
前記曲げ台のガイド柱と活動板の位置決めアームとの間に、１．７ミリメートルと同じか、０ミリメートルより大きく１．７ミリメートルより小さい第二隙間ｔ２が形成されることが好ましい。
【００１４】
前記第二隙間ｔ２は、０．５ミリメートルと同じか、０ミリメートルより大きく０．５ミリメートルより小さいことが好ましい。
【発明の効果】
【００１５】
本発明に係る曲げ台の位置決め構造を備えるステープラーは上記の構造を有することから、曲げ台のガイド柱をクリンチャーアームの位置決め柱の間に位置させて活動板の位置決めアームに保持させることにより、曲げ台をＺ方向しか移動できないようにして、Ｘ方向又はＹ方向への移動を制限するので、クリンチする時に、曲げ台のフラット溝部が安定的に針を受けることができ、また、曲げ台のガイド柱が活動板にカバーされると共に、２つの位置決めアームの間に位置することから、曲げ台のガイド柱しか活動板の収容孔から露出せず、曲げ台が外部からの影響を受けずにスムーズにクリンチ作業を行うことができるので、優れたフラットクリンチ効果を達成できる。
【図面の簡単な説明】
【００１６】
【図１】本発明に係る曲げ台の位置決め構造を備えるステープラーの斜視図である。
【図２】本発明に係る曲げ台の位置決め構造を備えるステープラーの部分分解斜視図である。
【図３】本発明に係る曲げ台の位置決め構造を備えるステープラーの他の部分分解拡大斜視図である。
【図４】本発明に係る曲げ台の位置決め構造を備えるステープラーの部分拡大斜視図である。
【図５】本発明に係る曲げ台の位置決め構造を備えるステープラーの部分拡大上面視断面図である。
【図６】本発明に係る曲げ台の位置決め構造を備えるステープラーにおける操作前の状態を示す部分拡大断面図である。
【図７】本発明に係る曲げ台の位置決め構造を備えるステープラーにおける操作後の状態を示す部分拡大側面図である。
【図８】本発明に係る曲げ台の位置決め構造を備えるステープラーにおける位置決めアームに凸設されるリブを示すための部分拡大断面図である。
【図９】従来のステープラーにおける部分分解斜視図である。
【発明を実施するための形態】
【００１７】
以下、添付図面を参照して本発明の適切な実施の形態を詳細に説明する。
【００１８】
図１及び図２に示すように、本発明に係る曲げ台の位置決め構造を備えるステープラーは、クリンチャーアーム１０と、後端が該クリンチャーアーム１０に枢設されるドライバ２０と、該ドライバ２０の上側に位置すると共に、後端が該クリンチャーアーム１０に枢設されるハンドル３０と、該ドライバ２０の下側に位置すると共に、該クリンチャーアーム１０の上面に取り付けられるクリンチャー部材４０とを有し、その内、ドライバ２０及びハンドル３０は、従来技術と同一であるため、その説明を省略する。
【００１９】
図３乃至図５に示すように、前記クリンチャーアーム１０は、両側面及び底面を備えると共に、断面Ｕ字形を呈するクリンチャーカバー１１と、該クリンチャーカバー１１に取り付けられると共に、断面Ｕ字形を呈するクリンチャーフレーム１２と、前側底面に、該クリンチャーカバー１１の両側面から離間する位置に凸設される複数の位置決め柱１３と、それら位置決め柱１３の間に形成される収容空間１４とを有する。尚、前記クリンチャーカバー１１における側面及び底面は、前記クリンチャーアーム１０の側面及び底面に一体に形成されても構わなく、前記クリンチャーフレーム１２は、金属プレートから構成されることが好ましく、前記複数の２対の位置決め柱１３は、該クリンチャーカバー１１の前側上面における両側面の近傍にそれぞれ形成されると共に、該各対位置決め柱１３は、間隔をおいて前後方向に沿って配列される２本の柱体からなることが好ましく、前記収容空間１４は、それら柱体との間に形成されることが好ましい。
【００２０】
図６に示すように、前記クリンチャー部材４０は、曲げ台４１及び活動板４２を備え、その内、曲げ台４１は、金属からなる凸字形を呈するものであり、その両側下部に、ガイド柱４１１が延設されると共に、中央上部に曲げ部４１２が凸設され、該曲げ部４１２の上面にフラット溝部４１３が凹設される。また、前記クリンチャー部材４０を装着する時は、前記曲げ台４１のガイド柱４１１をクリンチャーカバー１１の収容空間１４内における、両側の位置決め柱１３の中央の間隙に嵌め込めばよく、この構成によれば、該曲げ台４１をしっかりと位置決められるので、クリンチャーアーム１０に対してＸ方向に移動することはない。
【００２１】
前記活動板４２は、後端がクリンチャーフレーム１２に枢設されると共に、その前側上面における、曲げ部４１２と対応する箇所に収容孔４２１が形成され、この構造によれば、該活動板４２がクリンチャーアーム１０に向かって枢転する時、曲げ部４１２が収容孔４２１内を移動して活動板４２の上面から露出すると共に、前記ガイド柱４１１が活動板４２の下側に位置する。前記活動板４２の収容孔４２１からは、曲げ台４１の曲げ部４１２しか露出しないので、曲げ台４１を安定的に活動板４２に位置させることができる。また、前記活動板４２の相対する両側壁にそれぞれ、曲げ台４１に向かって伸び、ガイド柱４１１と接近するように位置決めアーム４２２が凸設され、この構成によれば、位置決めアーム４２２が曲げ台４１を位置決めるので、クリンチャーアーム１０及び活動板４２に対してＹ方向に移動することはない。
【００２２】
図６に示すように、前記曲げ台４１の曲げ部４１２と活動板４２の収容孔４２１の内壁との間に、０．２ミリメートルと同じか、０ミリメートルより大きく０．２ミリメートルより小さい第一隙間ｔ１が形成され（即ち、０ｍｍ＜ｔ１≦０．２ｍｍ）、また、該曲げ台４１のガイド柱４１１と活動板４２の位置決めアーム４２２との間に、１．７ミリメートルと同じか、０ミリメートルより大きく１．７ミリメートルより小さい第二隙間ｔ２が形成される（即ち、０ｍｍ＜ｔ２≦１．７ｍｍ）。尚、実施例においては、その第二隙間ｔ２が、０．５ミリメートルと同じか、０ミリメートルより大きく０．５ミリメートルより小さいことが好ましく（即ち、０ｍｍ＜ｔ２≦０．５ｍｍ）、また、前記位置決めアーム４２２とガイド柱４１１との間に形成される第二隙間ｔ２は、該位置決めアーム４２２のＹ方向の厚さを増加、或いは、減少させることによって、その第二隙間ｔ２の範囲を調整してもよく、更に、図８に示すように、該位置決めアーム４２２にガイド柱４１１に向かってリブ４２３を凸設することにより、その第二隙間ｔ２の範囲を調整してもよく、こうすることにより、曲げ台４１のＹ方向への移動を阻止することができる。
【００２３】
図６及び図７に示すように、本発明に係る曲げ台の位置決め構造を備えるステープラーにおいては、曲げ台４１のガイド柱４１１をクリンチャーアーム１０の位置決め柱１３との間に位置させて活動板４２の位置決めアーム４２２に保持することにより、該曲げ台４１におけるガイド柱４１１のＸ方向又はＹ方向への移動を制限する。また、前記曲げ台４１のガイド柱４１１が、クリンチャーアーム１０の位置決め柱１３及び活動板４２の位置決めアーム４２２と接近するように設置されることから、該曲げ台４１は、クリンチャーアーム１０及び活動板４２に制限されることにより上下方向（Ｚ方向）しか移動しないので、左右方向に移動することはない。この構成によれば、クリンチをする時、曲げ台４１は、クリンチャーアーム１０の収容空間１４に位置して上下方向（Ｚ方向）しか移動しないので、ドライバ２０から押し出された針を曲げ台４１のフラット溝部４１３が受けて押圧すると、より優れたフラットクリンチ効果を達成できる。
【００２４】
さらに、本実施例においては、前記曲げ台４１のガイド柱４１１が活動板４２にカバーされると共に、２つの位置決めアーム４２２の間に位置することから、曲げ台４１のガイド柱４１１しか活動板４２の収容孔４２１から露出しないので、曲げ台４１が外部からの影響を受けることなくスムーズにクリンチ作業を行うことができ、更に、曲げ台４１の移動方向を確実に制御することができるので、より優れたフラットクリンチ効果を達成できる。
【産業上の利用可能性】
【００２５】
本発明に係る曲げ台の位置決め構造を備えるステープラーは、上述の技術手段を備えるので、以下の利点を有する。
【００２６】
１．本発明の曲げ台のガイド柱をクリンチャーアームの位置決め柱の間に位置させて活動板の位置決めアームに保持すことにより、曲げ台をＺ方向（上下方向）しか移動できないようにし、Ｘ方向又はＹ方向への移動を制限することから、クリンチをする時に、曲げ台のフラット溝部が安定的に針を受けることができるので、より優れたフラットクリンチ効果を達成できる。  
２．本発明の曲げ台のガイド柱が活動板にカバーされると共に、２つの位置決めアームの間に位置することから、曲げ台のガイド柱しか活動板の収容孔から露出しないので、曲げ台が外部からの影響を受けずにスムーズにクリンチ作業を行うことができるので、非常に実用性が高く高品質である。
【符号の説明】
【００２７】
１０…クリンチャーアーム、
１１…クリンチャーカバー、
１２…クリンチャーフレーム、
１３…位置決め柱、
１４…収容空間、
２０…ドライバ、
３０…ハンドル、
４０…クリンチャー部材、
４１…曲げ台、
４１１…ガイド柱、
４１２…曲げ部、
４１３…フラット溝部、
４２…活動板、
４２１…収容孔、
４２２…位置決めアーム、
４２３…リブ、
ｔ１…第一隙間、
ｔ２…第二隙間。
【図１】
0005584931.tif 000002
【図２】
0005584931.tif 000003
【図３】
0005584931.tif 000004
【図４】
0005584931.tif 000005
【図５】
0005584931.tif 000006
【図６】
0005584931.tif 000007
【図７】
0005584931.tif 000008
【図８】
0005584931.tif 000009
【図９】
0005584931.tif 000010